(57)【要約】      （修正有）【課題】少なくとも３つの高度数領域、少なくとも３つの低度数領域及び複数の漸進的変化領域を含む累進多焦点レンズを提供する。【解決手段】高度数領域１１０、低度数領域１２０及び漸進的変化領域１３０は、いずれも扇形である。高度数領域と低度数領域は、累進多焦点レンズの円弧方向１０２に沿って交錯して設置される。各漸進的変化領域は、円弧方向に沿って、両側のそれぞれが高度数領域と低度数領域に接続される。高度数領域、低度数領域及び漸進的変化領域は、累進多焦点面を構成する。【選択図】図１
0003194002.tif 000002
【実用新案登録請求の範囲】
【請求項１】
少なくとも３つの高度数領域、少なくとも３つの低度数領域及び複数の漸進的変化領域を含み、前記高度数領域と前記低度数領域がいずれも扇形であり、前記高度数領域と前記低度数領域が前記累進多焦点レンズの１つの円弧方向に沿って交錯して設置され、前記漸進的変化領域がいずれも扇形であり、各前記漸進的変化領域が前記円弧方向に沿って、両側のそれぞれが前記高度数領域と前記低度数領域に接続され、前記高度数領域、前記低度数領域及び前記漸進的変化領域が累進多焦点面を構成し、且つ前記累進多焦点面が、以下の条件を満たす累進多焦点レンズ：
【数１】
0003194002.tif 000021
（ただし、ｒは前記累進多焦点面の半径座標であり、０≦ｒ≦ｒ０であり、ｒ０は前記累進多焦点面の光学領域の半径であり、θは前記累進多焦点面の角度座標であり、０°≦θ≦３６０°であり、Ｚ１とＺ２はいずれも1つの基準面から前記累進多焦点面までの高さ座標であり、Ｒは前記累進多焦点面の曲率半径であり、ｐは前記高度数領域又は前記低度数領域の個数で、３以上の整数であり、ｑは１以上の実数であり、ｍとｎはいずれも正整数であり、ａｎは実数であり、ｓは整数で且つ１≦ｓ≦ｐである）。
【請求項２】
ｑ＝１であることを特徴とする請求項１に記載の累進多焦点レンズ。
【請求項３】
前記累進多焦点面の円心に位置する円形領域を更に含み、前記高度数領域、前記低度数領域、前記漸進的変化領域及び前記円形領域が共に前記累進多焦点面を構成し、
前記累進多焦点面が、更に以下の条件を満たすことを特徴とする請求項１に記載の累進多焦点レンズ：
【数２】
0003194002.tif 000022
（ただし、ｒ１は前記円形領域の半径であり、ｒ０は前記累進多焦点面の光学領域の半径であり、Ｒ１は前記円形領域の曲率半径であり、Ｒ２は前記高度数領域又は前記低度数領域の曲率半径であり、Ｚ１（ｒ，θ）とＺ２（ｒ，θ）はｒ＝ｒ１の接合する箇所において平滑形態で修飾又は接合される）。
【請求項４】
少なくとも３つの高度数領域、少なくとも３つの低度数領域及び複数の漸進的変化領域を含み、前記高度数領域と前記低度数領域がいずれも扇形であり、前記高度数領域と前記低度数領域が前記累進多焦点レンズの1つの円弧方向に沿って交錯して設置され、前記漸進的変化領域がいずれも扇形であり、各前記漸進的変化領域が前記円弧方向に沿って、両側のそれぞれが前記高度数領域と前記低度数領域に接続され、前記高度数領域、前記低度数領域及び前記漸進的変化領域が累進多焦点面を構成し、且つ前記累進多焦点面が、以下の条件を満たす累進多焦点レンズ：
【数３】
0003194002.tif 000023
（ただし、ｒは前記累進多焦点面の半径座標であり、０≦ｒ≦ｒ０であり、ｒ０は前記累進多焦点面の光学領域の半径であり、θは前記累進多焦点面の角度座標であり、０°≦θ≦３６０°であり、Ｚ１とＺ２はいずれも1つの基準面から前記累進多焦点面までの高さ座標であり、Ｒは前記累進多焦点面の曲率半径であり、ｐは前記高度数領域又は前記低度数領域の個数で、３以上の整数であり、ｑは１以上の実数であり、ｍとｎはいずれも正整数であり、ａｎは実数であり、ｓは整数で且つ１≦ｓ≦ｐである）。
【請求項５】
ｑ＝１であることを特徴とする請求項４に記載の累進多焦点レンズ。
【請求項６】
前記累進多焦点面の円心に位置する円形領域を更に含み、前記高度数領域、前記低度数領域、前記漸進的変化領域及び前記円形領域が共に前記累進多焦点面を構成し、
前記累進多焦点面が、更に以下の条件を満たすことを特徴とする請求項４に記載の累進多焦点レンズ：
【数４】
0003194002.tif 000024
（ただし、ｒ１は前記円形領域の半径であり、ｒ０は前記累進多焦点面の光学領域の半径であり、Ｒ１は前記円形領域の曲率半径であり、Ｒ２は前記高度数領域又は前記低度数領域の曲率半径であり、Ｚ１（ｒ，θ）とＺ２（ｒ，θ）はｒ＝ｒ１の接合する箇所において平滑形態で修飾又は接合される）。
【請求項７】
累進多焦点面及び円環曲面を含み、
少なくとも３つの高度数領域、少なくとも３つの低度数領域及び複数の漸進的変化領域を更に含み、前記高度数領域と前記低度数領域がいずれも扇形であり、前記高度数領域と前記低度数領域が前記累進多焦点レンズの1つの円弧方向に沿って交錯して設置され、前記漸進的変化領域がいずれも扇形であり、各前記漸進的変化領域が前記円弧方向に沿って、両側のそれぞれが前記高度数領域と前記低度数領域に接続され、前記高度数領域、前記低度数領域及び前記漸進的変化領域が前記累進多焦点面を構成する累進多焦点レンズ。
【請求項８】
前記累進多焦点面と前記円環曲面は前記累進多焦点レンズの1つの主表面に位置する複合曲面に合成し、且つもう1つの面が球面又は非球面であることを特徴とする請求項７に記載の累進多焦点レンズ。
【請求項９】
前記累進多焦点面と前記円環曲面は、それぞれ前記累進多焦点レンズの対向する２つの主表面に位置することを特徴とする請求項７に記載の累進多焦点レンズ。
【考案の詳細な説明】
【技術分野】
【０００１】
本考案は累進多焦点レンズに関する。
【背景技術】
【０００２】
レンズは、角膜や眼の中に着用され、屈折異常のある患者の視力を矯正するためのものである。乱視を有する近視又は遠視の患者にとって、着用するレンズは、同時に屈折異常と乱視を矯正する必要がある。しかしながら、乱視が方向性を有し、即ち乱視レンズが眼球に対して固定の軸方向を有するので、患者が着用している乱視レンズは、レンズの回転を防止するように、レンズを安定させる設計を有しなければならない。しかし、レンズを安定させる設計は、厚さの増加により酸素伝導性を低下させ、異物感を増加させ又は着用の快適性を低下させ、更に或いは長い時間がかかってレンズを安定させる可能性がある。更に、着用する際に乱視レンズの軸方向のずれが大きすぎることを発見すると、再配備しなければならない。メーカにとって、同じ度数に０〜１８０度の１８個の軸方向を準備しなければならない可能性があり、巨大な生産、在庫、及び管理のストレスを引き起こす。これらの欠点は、すべてその不便を生じるところである。
【考案の概要】
【考案が解決しようとする課題】
【０００３】
一方、市場での老眼用レンズは、軸対称で度数が段階的に変化する非球面設計、又は近いものを見る又は遠いものを見る場合の度数が交替する同心円設計を多く採用する。このような設計は、瞳孔の大きさに対する依存性がとても大きい。瞳孔の大きさが環境光線の明暗、コントラストの高低又は年齢の増加に従って変わるので、調整力も年齢の増加に従って低下し、瞳孔の大きさを調整することにより近いものを見ることと遠いものを見ることとを転換することは、特に遠近度数の差異が大きい場合、困難になる。
【課題を解決するための手段】
【０００４】
本考案の一態様は、少なくとも３つの高度数領域、少なくとも３つの低度数領域及び複数の漸進的変化領域を含む累進多焦点レンズを提供する。高度数領域、低度数領域及び漸進的変化領域は、いずれも扇形である。高度数領域と低度数領域は、累進多焦点レンズの円弧方向に沿って交錯して設置される。各漸進的変化領域は、円弧方向に沿って、両側のそれぞれが高度数領域と低度数領域に接続される。高度数領域、低度数領域及び漸進的変化領域は、累進多焦点面を構成し、且つ累進多焦点面が以下の条件を満たす：
【数１】
0003194002.tif 000003
（ただし、ｒは累進多焦点面の半径座標であり、０≦ｒ≦ｒ０であり、ｒ０は累進多焦点面の光学領域の半径であり、θは累進多焦点面の角度座標であり、０°≦θ≦３６０°であり、Ｚ１とＺ２はいずれも基準面から累進多焦点面までの高さ座標であり、Ｒは累進多焦点面の曲率半径であり、ｐは高度数領域又は低度数領域の個数で、３以上の整数であり、ｑは１以上の実数であり、ｍとｎはいずれも正整数であり、ａｎは実数であり、ｓは整数で且つ１≦ｓ≦ｐである）。
【０００５】
１つ又は複数の実施形態において、ｑ＝１である。
【０００６】
１つ又は複数の実施形態において、上記累進多焦点レンズは、累進多焦点面の円心に位置する円形領域を更に含む。高度数領域、低度数領域、漸進的変化領域及び円形領域は、共に累進多焦点面を構成する。累進多焦点面は、更に以下の条件を満たす：
【数２】
0003194002.tif 000004
（ただし、ｒ１は円形領域の半径であり、ｒ０は累進多焦点面の光学領域の半径であり、Ｒ１は円形領域の曲率半径であり、Ｒ２は高度数領域又は低度数領域の曲率半径であり、Ｚ１（ｒ，θ）がＺ２（ｒ，θ）はｒ＝ｒ１との接合する箇所において平滑形態で修飾又は接合される）。
【０００７】
本考案の別の態様は、少なくとも３つの高度数領域、少なくとも３つの低度数領域及び複数の漸進的変化領域を含む累進多焦点レンズを提供する。高度数領域、低度数領域及び漸進的変化領域は、いずれも扇形である。高度数領域と低度数領域は、累進多焦点レンズの円弧方向に沿って交錯して設置される。各漸進的変化領域は、円弧方向に沿って、両側のそれぞれが高度数領域と低度数領域に接続される。高度数領域、低度数領域及び漸進的変化領域は、累進多焦点面を構成し、且つ累進多焦点面が以下の条件を満たす：
【数３】
0003194002.tif 000005
（ただし、ｒは累進多焦点面の半径座標であり、０≦ｒ≦ｒ０であり、ｒ０は累進多焦点面の光学領域の半径であり、θは累進多焦点面の角度座標であり、０°≦θ≦３６０°であり、Ｚ１とＺ２はいずれも基準面から累進多焦点面までの高さ座標であり、Ｒは累進多焦点面の曲率半径であり、ｐは高度数領域又は低度数領域の個数で、３以上の整数であり、ｑは１以上の実数であり、ｍとｎはいずれも正整数であり、ａｎは実数であり、ｓは整数で且つ１≦ｓ≦ｐである）。
【０００８】
１つ又は複数の実施形態において、ｑ＝１である。
【０００９】
１つ又は複数の実施形態において、上記累進多焦点レンズは、累進多焦点面の円心に位置する円形領域を更に含む。高度数領域、低度数領域、漸進的変化領域及び円形領域は共に累進多焦点面を構成する。累進多焦点面は、更に以下の条件を満たす：
【数４】
0003194002.tif 000006
（ただし、ｒ１は円形領域の半径であり、ｒ０は累進多焦点面の光学領域の半径であり、Ｒ１は円形領域の曲率半径であり、Ｒ２は高度数領域又は低度数領域の曲率半径であり、Ｚ１（ｒ，θ）がＺ２（ｒ，θ）はｒ＝ｒ１との接合する箇所において平滑形態で修飾又は接合される）。
【００１０】
本考案のまた１つの態様は、累進多焦点面と円環曲面を含む累進多焦点レンズを提供する。累進多焦点レンズは、少なくとも３つの高度数領域、少なくとも３つの低度数領域及び複数の漸進的変化領域を含む。高度数領域、低度数領域及び漸進的変化領域は、いずれも扇形である。高度数領域と低度数領域は、累進多焦点レンズの円弧方向に沿って交錯して設置される。各漸進的変化領域は、円弧方向に沿って、両側のそれぞれが高度数領域と低度数領域に接続される。高度数領域、低度数領域及び漸進的変化領域は、累進多焦点面を構成する。
【００１１】
１つ又は複数の実施形態において、累進多焦点面と円環曲面は、累進多焦点レンズの１つの主表面に位置する複合曲面に合成し、且つもう１つの面が球面又は非球面である。
【００１２】
１つ又は複数の実施形態において、累進多焦点面と円環曲面は、それぞれ累進多焦点レンズの対向する２つの主表面に位置する。
【考案の効果】
【００１３】
上記累進多焦点レンズは、同期視覚レンズに属し、高度数領域、低度数領域及び漸進的変化領域を透過して、異なる焦点距離の画像を同期に網膜に投射し、その後、視覚システム又は脳により鮮明な画像を選択し、且つぼやけた画像を排除して、ズーム効果を生成する。
【図面の簡単な説明】
【００１４】
【図１】本考案の第１実施形態による累進多焦点レンズを示す模式図である。
【図２Ａ】図１の線分Ａ−Ａに沿う一実施形態を示す断面図である。
【図２Ｂ】図１の線分Ａ−Ａに沿う別の一実施形態を示す断面図である。
【図３】図１の点Ｏから円弧方向に沿う高さ座標Ｚの一実施例の曲線図である。
【図４】本考案の第２実施形態による累進多焦点レンズを示す模式図である。
【図５】図４の点Ｏから円弧方向に沿う高さ座標Ｚの一実施例の曲線図である。
【図６】本考案の第３実施形態による累進多焦点レンズを示す模式図である。
【図７】図６の点Ｏから円弧方向に沿う高さ座標Ｚの一実施例の曲線図である。
【図８】本考案の第４実施形態による累進多焦点レンズを示す模式図である。
【図９】図８の点Ｏから円弧方向に沿う高さ座標Ｚの一実施例の曲線図である。
【図１０】本考案の第５実施形態による累進多焦点レンズを示す模式図である。
【図１１】それぞれ図１０の点Ｏと点Ｃから円弧方向に沿う高さ座標Ｚの一実施例の曲線図である。
【図１２】本考案の第６実施形態による累進多焦点レンズを示す模式図である。
【図１３】図１２の点Ｏから円弧方向に沿う高さ座標Ｚの一実施例の曲線図である。
【図１４】本考案の第７実施形態による累進多焦点レンズを示す模式図である。
【図１５】図１４の点Ｏから円弧方向に沿う高さ座標Ｚの一実施例の曲線図である。
【図１６】本考案の第８及び第９実施形態による累進多焦点レンズを示す模式図である。
【図１７】第８実施形態の図１６の点Ｏから円弧方向に沿う高さ座標Ｚの一実施例の曲線図である。
【図１８Ａ】第９実施形態の図１６の累進多焦点面点Ｏから円弧方向に沿う高さ座標Ｚ３の一実施例の曲線図である。
【図１８Ｂ】第９実施形態の図１６の円環曲面点Ｏ’から円弧方向に沿う高さ座標Ｚ４の一実施例の曲線図である。
【考案を実施するための形態】
【００１５】
以下、図面で本考案の複数の実施例を開示し、明らかに説明するために、多くの実際の細部を下記の叙述で合わせて説明する。しかしながら、理解すべきなのは、これらの実際の細部が、本考案を制限するためのものではない。つまり、本考案の一部の実施例においては、これらの実際の細部は、必要ないものである。また、図面を簡略化するために、ある従来慣用の構造及び素子は、図面において簡単で模式的に示される。
【００１６】
第１態様
【００１７】
図１は、本考案の第１実施形態による累進多焦点レンズを示す模式図である。累進多焦点レンズは、少なくとも３つの高度数領域１１０、少なくとも３つの低度数領域１２０及び複数の漸進的変化領域１３０を含む。高度数領域１１０、低度数領域１２０及び漸進的変化領域１３０は、いずれも扇形であり、且つ高度数領域１１０と低度数領域１２０が累進多焦点レンズの円弧方向１０２に沿って交錯して設置される。各漸進的変化領域１３０は、円弧方向１０２に沿って、両側のそれぞれが高度数領域１１０と低度数領域１２０に接続される。本実施形態の累進多焦点レンズは、同期視覚レンズに属し、即ち透過高度数領域１１０、低度数領域１２０及び漸進的変化領域１３０が、異なる焦点距離の画像を同時に網膜に投射し、その後視覚システム又は脳により鮮明な画像を選択し、且つぼやけた画像を排除して、ズーム効果を生成する。上記累進多焦点レンズは、コンタクトレンズ又は眼内レンズであってよく、本考案はこれらに限定されたものではない。
【００１８】
具体的には、高度数領域１１０、低度数領域１２０及び漸進的変化領域１３０は、いずれも累進多焦点レンズの同じ主表面に位置して、累進多焦点面を形成するが、もう１つの主表面は球面又は非球面である。この累進多焦点面は、以下の条件を満たす：
【数５】
0003194002.tif 000007
【００１９】
上記方程式は、円柱座標で表され、即ちｒが累進多焦点面の半径座標を表し、θが累進多焦点面の角度座標を表し、異なる半径座標ｒと角度座標θを代入すると、上記方程式で累進多焦点面の各位置の高さ座標Ｚ１とＺ２を取得することができ、ただし、Ｚ１（０，θ）とＺ２（０，θ）がいずれも累進多焦点面の円心又は頂点を表す。また、０≦ｒ≦ｒ０であり、ｒ０は累進多焦点面の光学領域の半径であり、０°≦θ≦３６０°であり、Ｒが累進多焦点面の曲率半径であり、ｐが高度数領域又は低度数領域の個数で、３以上の整数であり、ｑが１以上の実数であり、ｍとｎがいずれも正整数であり、ａｎが実数であり、ただし、ｍ、ｎ及びａｎの値がいずれも異なる度数条件により計算し決定されることができ、ｓが整数で且つ１≦ｓ≦ｐである。
【００２０】
実際には、ｑの数値は、患者の度数の需要に従って決められてよく、このような設計が視覚品質を改善し、或いは鮮明な画像の光量を増加することに寄与する。
【００２１】
次に高さ座標Ｚ１とＺ２を更に説明する。図２Ａを参照すると、図２Ａは図１の線分Ａ−Ａに沿う一実施形態を示す断面図である。具体的に、累進多焦点レンズは、２つの対向する主表面１０４と１０６を有し、コンタクトレンズである場合、主表面１０６が角膜と接触する面であってよい。累進多焦点レンズは、光軸１０７を更に有し、主表面１０４と光軸１０７が１点に交差し、前記点を通過して主表面１０４と接する面が基準面１０８ａと定義される。上記累進多焦点面は、主表面１０４に位置する場合、高さ座標Ｚ１とＺ２がいずれも基準面１０８ａから累進多焦点面までの高さであり、主表面１０６が球面又は非球面であってよい。同様に、主表面１０６と光軸１０７ももう１つの点に交差し、前記点を通過して主表面１０６と接する面がもう１つの基準面１０８ｂと定義される。上記累進多焦点面は、主表面１０６に位置する場合、高さ座標Ｚ１とＺ２がいずれも基準面１０８ｂから累進多焦点面までの高さであり、主表面１０４が球面又は非球面であってよい。
【００２２】
注意すべきなのは、図２Ａにおいては、累進多焦点レンズが凹レンズであるが、本考案はこれらに限定されたものではないことである。図２Ｂを参照すると、図２Ｂは、図１の線分Ａ−Ａに沿う別の一実施形態を示す断面図である。本実施形態において、累進多焦点レンズは、凸レンズであってよい。累進多焦点レンズの度数は、主表面１０４と１０６の曲率半径及び累進多焦点レンズの材質と厚さにより共に決定されてよい。
【００２３】
図１を再び参照すると、上記方程式は、累進多焦点面の高さの変化に従って扇形の高度数領域１１０、低度数領域１２０及び２つの間に介在している漸進的変化領域１３０を定義する。漸進的変化領域１３０、隣接する高度数領域１１０及び低度数領域１２０の間にいかなる境界もなくてよい。
【００２４】
本実施形態の累進多焦点レンズは、老眼及び乱視の患者の矯正に用いられてよい。老眼を矯正することを例として、高度数領域１１０が例えば遠いものを見る領域で、低度数領域１２０が例えば近いものを見る領域であり、漸進的変化領域１３０が高度数領域１１０と低度数領域１２０の間の度数変化を緩和するように用いられる。表１を参照すると、表１は、図１の累進多焦点レンズの２つの実施例による度数値であり、度数単位がＤ（Ｄｉｏｐｔｅｒ，ジオプトリー）である。ａ組の度数値が近視老眼の矯正に用いられてよく、ｂ組の度数値が遠視老眼の矯正に用いられてよい。１つ又は複数の実施例において、Δｄ１＝Δｄ２＝＋０．１Ｄであるが、本考案はこれらに限定されたものではない。
【００２５】
【表１】
0003194002.tif 000008
【００２６】
次に図３と表２を共に参照すると、図３は、図１の点Ｏから円弧方向１０２に沿う高さ座標Ｚの一実施例の曲線図であり、表２は、図３の高さ座標Ｚを形成する方程式パラメータであり、ただし、点Ｏの半径座標ｒ＝４ｍｍである。０°＜θ＜４５°、９０°＜θ＜１３５°、１８０°＜θ＜２２５°及び２７０°＜θ＜３１５°である場合、高さ座標Ｚ＝Ｚ１であり、４５°＜θ＜９０°、１３５°＜θ＜１８０°、２２５°＜θ＜２７０°及び３１５°＜θ＜３６０°である場合、高さ座標Ｚ＝Ｚ２である。図３に示すように、高さ座標Ｚは、角度座標θの増加に沿って起伏を呈する。次に図１を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。
【００２７】
【表２】
0003194002.tif 000009
【００２８】
図１を再び参照すると、本実施形態において、累進多焦点レンズが回転する場合、患者がやはり高度数領域１１０、低度数領域１２０及び漸進的変化領域１３０を均一的に使用することができるため、累進多焦点レンズは、レンズを安定させる設計を必要とせず、従来のソフトタイプ乱視コンタクトレンズの、酸素透過性が低く、快適性が悪く及び軸方向の確認を必要とするという悩みを解決する。一方、瞳孔の大きさが環境光線の明暗、コントラストの高低又は年齢の増加に従って変わるが、本実施形態の累進多焦点レンズは、瞳孔が拡大または縮小する際、高度数領域１１０、低度数領域１２０及び漸進的変化領域１３０の、瞳孔との重なり部分の面積がいずれも同じ比例で増加又は減少する。乱視患者にとって、球面レンズ領域と柱面レンズ領域の表現する視覚品質の一致を維持することができ、老眼の患者にとって、瞳孔の変化又は近いものを見ることと遠いものを見ることの変換により、視覚品質を妥協又は犠牲することがない。そのほか、レンズがずれる際、瞳孔はやはりすべての高度数領域１１０、低度数領域１２０及び漸進的変化領域１３０を使用することができ、且つ眼軸とおおよそ釣り合い、このため、視覚品質に対する影響は大きくない。
【００２９】
次に図４を参照すると、図４は、本考案の第２実施形態の累進多焦点レンズを示す模式図である。第２実施形態と第１実施形態は、ｐの数値で異なる。本実施形態において、ｐ＝６である。本実施形態の累進多焦点レンズは、乱視及び老眼の患者の矯正に適用してよい。乱視を矯正することを例として、高度数領域１１０が乱視の目の屈折異常の矯正に用いられ、低度数領域１２０が乱視の目の乱視の矯正に用いられ、漸進的変化領域１３０が高度数領域１１０と低度数領域１２０の間に介在し、高度数領域１１０と低度数領域１２０の間の度数変化を緩和するように用いられる。１つ又は複数の実施例において、高度数領域１１０、低度数領域１２０及び漸進的変化領域１３０の度数値として表１の数値を使用してもよいが、本考案はこれらに限定されたものではない。ａ組の度数値が近視乱視の矯正に用いられてよく、ｂ組の度数値が遠視乱視の矯正に用いられてよい。
【００３０】
次に図５と表３を共に参照すると、図５は、図４の点Ｏから円弧方向１０２に沿う高さ座標Ｚの一実施例の曲線図であり、表３は、図５の高さ座標Ｚを形成する方程式パラメータであり、ただし、点Ｏの半径座標ｒ＝４ｍｍである。０°＜θ＜３０°、６０°＜θ＜９０°、…、２４０°＜θ＜２７０°及び３００°＜θ＜３３０°である場合、高さ座標Ｚ＝Ｚ１であり、３０°＜θ＜６０°、９０°＜θ＜１２０°、…、２７０°＜θ＜３００°及び３３０°＜θ＜３６０°である場合、高さ座標Ｚ＝Ｚ２である。図５に示すように、高さ座標Ｚは、角度座標θの増加に沿って起伏を呈する。次に図４を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。本実施形態の他の詳しいものは第１実施形態と同じであるので、ここで重複する説明は省略する。
【００３１】
【表３】
0003194002.tif 000010
【００３２】
次に図６を参照すると、図６は、本考案の第３実施形態の累進多焦点レンズを示す模式図である。第３実施形態と第１実施形態は、ｑの数値で異なり、本実施形態において、ｑ＝１である。
【００３３】
本実施形態の累進多焦点レンズは、老眼及び乱視の患者の矯正に用いられてよく、高度数領域１１０、低度数領域１２０及び漸進的変化領域１３０の度数値として表１の数値を使用してもよいが、本考案はこれらに限定されたものではない。次に図７と表４を共に参照すると、図７は、図６の点Ｏから円弧方向１０２に沿う高さ座標Ｚの一実施例の曲線図であり、表４は、図７の高さ座標Ｚを形成する方程式パラメータであり、点Ｏの半径座標ｒ＝４ｍｍである。０°＜θ＜４５°、９０°＜θ＜１３５°、１８０°＜θ＜２２５°及び２７０°＜θ＜３１５°である場合、高さ座標Ｚ＝Ｚ１であり、４５°＜θ＜９０°、１３５°＜θ＜１８０°、２２５°＜θ＜２７０°及び３１５°＜θ＜３６０°である場合、高さ座標Ｚ＝Ｚ２である。図７に示すように、高さ座標Ｚは、角度座標θの増加に沿って起伏を呈する。次に図６を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。本実施形態の他の詳しいものは第１実施形態と同じであるので、ここで重複する説明は省略する。
【００３４】
【表４】
0003194002.tif 000011
【００３５】
次に図８を参照すると、図８は、本考案の第４実施形態の累進多焦点レンズを示す模式図である。第４実施形態と第２実施形態は、ｑの数値で異なり、本実施形態において、ｑ＝１である。
【００３６】
本実施形態の累進多焦点レンズは乱視及び老眼の患者の矯正に適用してよく、高度数領域１１０、低度数領域１２０及び漸進的変化領域１３０の度数値として表１の数値を使用してもよいが、本考案はこれらに限定されたものではない。次に図９と表５を共に参照すると、図９は、図８の点Ｏから円弧方向１０２に沿う高さ座標Ｚの一実施例の曲線図であり、表５は、図９の高さ座標Ｚを形成する方程式パラメータであり、点Ｏの半径座標ｒ＝４ｍｍである。０°＜θ＜３０°、６０°＜θ＜９０°、…、２４０°＜θ＜２７０°及び３００°＜θ＜３３０°である場合、高さ座標Ｚ＝Ｚ１であり、３０°＜θ＜６０°、９０°＜θ＜１２０°、…、２７０°＜θ＜３００°及び３３０°＜θ＜３６０°である場合、高さ座標Ｚ＝Ｚ２である。図９に示すように、高さ座標Ｚは、角度座標θの増加に沿って起伏を呈する。次に図８を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。本実施形態の他の詳しいものは第２実施形態と同じであるので、ここで重複する説明は省略する。
【００３７】
【表５】
0003194002.tif 000012
【００３８】
次に図１０を参照すると、図１０は、本考案の第５実施形態の累進多焦点レンズを示す模式図である。第５実施形態と第３実施形態は、円形領域１４０の存在で異なる。本実施形態において、累進多焦点レンズは、累進多焦点面の円心に位置する円形領域１４０を更に含む。高度数領域１１０、低度数領域１２０、漸進的変化領域１３０及び円形領域１４０は、共に累進多焦点面を構成する。
【００３９】
具体的に、累進多焦点面は、
【数６】
0003194002.tif 000013
【００４０】
ただし、ｒ１は円形領域の半径であり、ｒ０は累進多焦点面の光学領域の半径である。Ｒ１は円形領域の曲率半径であり、Ｒ２は高度数領域又は低度数領域の曲率半径である。Ｚ１（ｒ，θ）がＺ２（ｒ，θ）はｒ＝ｒ１との接合する箇所、即ち円形領域１４０と高度数領域１１０、低度数領域１２０、漸進的変化領域１３０の接合する箇所において、平滑形態で修飾又は接合される。
【００４１】
注意すべきなのは、円形領域１４０の度数が高度数領域１１０又は低度数領域１２０の度数と同じ（即ちＲ１＝Ｒ２）であってよく、或いは高度数領域１１０又は低度数領域１２０の度数のいずれと異なってもよい（即ちＲ１≠Ｒ２）ことである。
【００４２】
本実施形態の累進多焦点レンズは、老眼の患者の矯正に用いられてよく、高度数領域１１０、低度数領域１２０及び漸進的変化領域１３０の度数値として表１の数値を使用してよく、円形領域１４０の度数値が高度数領域１１０と同じであってよいが、本考案はこれらに限定されたものではない。次に図１１と表６を共に参照すると、図１１は、それぞれ図１０の点Ｏと点Ｃから円弧方向１０２に沿う高さ座標Ｚの一実施例の曲線図であり、表６は、図１１の高さ座標Ｚを形成する方程式パラメータであり、ただし、点Ｏの半径座標ｒ＝４ｍｍであり、点Ｃの半径座標ｒ＝１.５ｍｍである。０°＜θ＜４５°、９０°＜θ＜１３５°、１８０°＜θ＜２２５°及び２７０°＜θ＜３１５°である場合、高さ座標Ｚ＝Ｚ１であり、４５°＜θ＜９０°、１３５°＜θ＜１８０°、２２５°＜θ＜２７０°及び３１５°＜θ＜３６０°である場合、高さ座標Ｚ＝Ｚ２である。ｒ＜１.５ｍｍである場合、高さ座標Ｚは、角度座標θの増加に沿って基準値に近くなり、図１１に示すように、ｒ≧１.５ｍｍである場合、高さ座標Ｚは、角度座標θの増加に沿って起伏を呈する。次に図１０を共に参照すると、ｒ＜１.５ｍｍである場合、高さ座標Ｚは、円形領域１４０に対応し、ｒ＞１.５ｍｍである場合、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。
【００４３】
【表６】
0003194002.tif 000014
【００４４】
注意すべきなのは、上記実施例の累進多焦点レンズは老眼を矯正することを例とするが、他の実施形態において、本実施形態の累進多焦点レンズが乱視を矯正するように用いられてもよいことである。本実施形態の他の詳しいものは、第３実施形態と同じであるので、ここで重複する説明は省略する。
【００４５】
上記各実施形態において、ｐの数値が４又は６であるが、本考案はこれらに限定されたものではないことを理解すべきである。当業者は、実際の需要に応じて、ｐの数値を柔軟に設計すべきである。
【００４６】
第２態樣
【００４７】
図１２は、本考案の第６実施形態による累進多焦点レンズを示す模式図である。累進多焦点レンズは、少なくとも３つの高度数領域１１０、少なくとも３つの低度数領域１２０及び複数の漸進的変化領域１３０を含む。高度数領域１１０、低度数領域１２０及び漸進的変化領域１３０は、いずれも扇形であり、且つ高度数領域１１０と低度数領域１２０が累進多焦点レンズの円弧方向１０２に沿って交錯して設置される。各漸進的変化領域１３０は、円弧方向１０２に沿って、両側のそれぞれが高度数領域１１０と低度数領域１２０に接続される。本実施形態の累進多焦点レンズは、同期視覚レンズに属し、即ち高度数領域１１０、低度数領域１２０及び漸進的変化領域１３０を透過して、異なる焦点距離の画像を同期に網膜に投射し、その後、視覚システム又は脳により鮮明な画像を選択し、ぼやけた画像を排除して、ズーム効果を生成する。上記累進多焦点レンズは、コンタクトレンズ又は眼内レンズであってよいが、本考案はこれらに限定されたものではない。
【００４８】
具体的に、高度数領域１１０、低度数領域１２０及び漸進的変化領域１３０は、いずれも累進多焦点レンズの同じ主表面に位置して、累進多焦点面を形成し、もう１つの主表面は球面又は非球面である。この累進多焦点面は、
【数７】
0003194002.tif 000015
であるという条件を満たす。
【００４９】
上記方程式は、円柱座標で表され、即ちｒが累進多焦点面の半径座標を表し、θが累進多焦点面の角度座標を表し、異なる半径座標ｒと角度座標θを代入すると、上記方程式で累進多焦点面の各位置の高さ座標Ｚ１とＺ２を取得することができ、ただし、Ｚ１（０，θ）とＺ２（０，θ）がいずれも累進多焦点面の円心又は頂点を表す。また、０≦ｒ≦ｒ０であり、ｒ０が累進多焦点面の光学領域の半径であり、０°≦θ≦３６０°であり、Ｒが累進多焦点面の曲率半径であり、ｐが高度数領域又は低度数領域の個数で、３以上の整数であり、ｑが１以上の実数であり、ｍとｎがいずれも正整数であり、ａｎが実数であり、ただし、ｍ、ｎとａｎの値がいずれも異なる度数条件により計算して決定されることができ、ｓが整数で且つ１≦ｓ≦ｐである。
【００５０】
実際には、ｑの数値は、患者の度数の需要に応じて決められてよく、このような設計が視覚品質を改善し、或いは鮮明な画像の光量を増加することに寄与する。
【００５１】
次に高さ座標Ｚ１とＺ２を更に説明する。具体的に、図１２の累進多焦点レンズがＡ−Ａ線分に沿う断面図は、図１の累進多焦点レンズがＡ−Ａ線分に沿う断面図と同じであってよい。換言すれば、図１２の累進多焦点レンズがＡ−Ａ線分に沿う断面図は、図２Ａ又は図２Ｂで表されてよい。本実施形態の累進多焦点レンズの断面の詳しいものは、図２Ａ及び図２Ｂと同じであるため、ここで重複する説明は省略する。
【００５２】
上記方程式は、累進多焦点面の高さの変化に従って扇形の高度数領域１１０、低度数領域１２０及び２つの間に介在している漸進的変化領域１３０を定義する。漸進的変化領域１３０、隣接する高度数領域１１０及び低度数領域１２０の間にいかなる境界もなくてよい。
【００５３】
本実施形態の累進多焦点レンズは、老眼及び乱視の患者の矯正に用いられてよい。老眼を矯正することを例として、高度数領域１１０が例えば遠いものを見る領域で、低度数領域１２０が例えば近いものを見る領域であり、漸進的変化領域１３０が高度数領域１１０と低度数領域１２０の間の度数変化を緩和するように用いられる。表７を参照すると、表７は、図１２の累進多焦点レンズの２つの実施例による度数値であり、度数単位がＤである。ａ組の度数値が近視老眼の矯正に用いられてよく、ｂ組の度数値が遠視老眼の矯正に用いられてよい。１つ又は複数の実施例において、Δｄ１＝Δｄ２＝+０.１Ｄであるが、本考案はこれらに限定されたものではない。
【００５４】
【表７】
0003194002.tif 000016
【００５５】
次に図１３と表８を共に参照すると、図１３は、図１２の点Ｏから円弧方向１０２に沿う高さ座標Ｚの一実施例の曲線図であり、表８は、図１３の高さ座標Ｚを形成する方程式パラメータであり、ただし、点Ｏの半径座標ｒ＝４ｍｍである。０°＜θ＜４５°、９０°＜θ＜１３５°、１８０°＜θ＜２２５°及び２７０°＜θ＜３１５°である場合、高さ座標Ｚ＝Ｚ１であり、４５°＜θ＜９０°、１３５°＜θ＜１８０°、２２５°＜θ＜２７０°及び３１５°＜θ＜３６０°である場合、高さ座標Ｚ＝Ｚ２である。図１３に示すように、高さ座標Ｚは、角度座標θの増加に沿って起伏を呈する。次に図１２を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。
【００５６】
【表８】
0003194002.tif 000017
【００５７】
図１２を再び参照すると、本実施形態において、累進多焦点レンズが回転する場合、患者がやはり高度数領域１１０、低度数領域１２０及び漸進的変化領域１３０を均一的に使用することができるため、累進多焦点レンズは、レンズを安定させる設計を必要とせず、従来のソフトタイプ乱視コンタクトレンズの酸素透過性が低く、快適性が悪く及び軸方向の確認を必要とするという悩みを解決する。一方、瞳孔の大きさが環境光線の明暗、コントラストの高低又は年齢の増加に従って変わるが、本実施形態の累進多焦点レンズは、瞳孔が拡大または縮小する際、高度数領域１１０、低度数領域１２０及び漸進的変化領域１３０の、瞳孔との重なり部分の面積はいずれも同じ比例で増加又は減少する。乱視患者にとって、球面レンズ領域と柱面レンズ領域の表現する視覚品質が一致を維持することができ、老眼の患者にとって、瞳孔の変化又は近いものを見ることと遠いものを見ることの変換により、視覚品質を妥協又は犠牲することがない。そのほか、レンズがずれる際、瞳孔はやはりすべての高度数領域１１０、低度数領域１２０及び漸進的変化領域１３０を使用することができ、且つ眼軸とおおよそ釣り合い、このため、視覚品質に対する影響は大きくない。
【００５８】
次に図１４を参照すると、図１４は、本考案の第７実施形態の累進多焦点レンズを示す模式図である。第７実施形態と第６実施形態はｐの数値で異なる。本実施形態において、ｐ＝６である。本実施形態の累進多焦点レンズは、乱視及び老眼の患者の矯正に適用してよい。乱視を矯正することを例として、高度数領域１１０が乱視の目の屈折異常の矯正に用いられ、低度数領域１２０が乱視の目の乱視の矯正に用いられ、漸進的変化領域１３０が高度数領域１１０と低度数領域１２０の間に介在し、高度数領域１１０と低度数領域１２０の間の度数変化を緩和する。１つ又は複数の実施例において、高度数領域１１０、低度数領域１２０及び漸進的変化領域１３０の度数値として表７の数値を使用してもよいが、本考案はこれらに限定されたものではない。ａ組の度数値が近視乱視の矯正に用いられてよく、ｂ組の度数値が遠視乱視の矯正に用いられてよい。
【００５９】
次に図１５と表９を共に参照すると、図１５は、図１４の点Ｏから円弧方向１０２に沿う高さ座標Ｚの一実施例の曲線図であり、表９は、図１５の高さ座標Ｚを形成する方程式パラメータであり、ただし、点Ｏの半径座標ｒ＝４ｍｍである。０°＜θ＜３０°、６０°＜θ＜９０°、…、２４０°＜θ＜２７０°及び３００°＜θ＜３３０°である場合、高さ座標Ｚ＝Ｚ１であり、３０°＜θ＜６０°、９０°＜θ＜１２０°、…、２７０°＜θ＜３００°及び３３０°＜θ＜３６０°である場合、高さ座標Ｚ＝Ｚ２である。図１５に示すように、高さ座標Ｚは角度座標θの増加に沿って起伏を呈する。次に図１４を共に参照すると、異なる高さ座標Ｚは、異なる領域に対応し、例えば約０.８３５ｍｍの領域が高度数領域１１０に対応してよく、約０.８８０ｍｍの領域が低度数領域１２０に対応してよく、約０.８３５〜０.８８０ｍｍの間にある領域が漸進的変化領域１３０に対応してよい。本実施形態の他の詳しいものは第６実施形態と同じであるので、ここで重複する説明は省略する。
【００６０】
【表９】
0003194002.tif 000018
【００６１】
１つ又は複数の実施形態において、ｑ＝１である。その模式図は、例えば図６又は図８に示すようなものであり、且つその度数値の実施例も例えば表７に示すようなものであるが、本考案がこれらに限定されたものではない。
【００６２】
１つ又は複数の実施形態において、累進多焦点レンズは、累進多焦点面の円心に位置する円形領域１４０（図１０に示す）を更に含む。高度数領域１１０、低度数領域１２０、漸進的変化領域１３０及び円形領域１４０（いずれも図１０に示す）は、共に累進多焦点面を構成する。
【００６３】
具体的に、累進多焦点面は、
【数８】
0003194002.tif 000019
【００６４】
ただし、ｒ１は円形領域の半径であり、ｒ０は累進多焦点面の光学領域の半径である。Ｒ１は円形領域の曲率半径であり、Ｒ２は高度数領域又は低度数領域の曲率半径である。Ｚ１（ｒ，θ）とＺ２（ｒ，θ）はｒ＝ｒ１の接合する箇所、即ち円形領域１４０と高度数領域１１０、低度数領域１２０、漸進的変化領域１３０の接合する箇所において、平滑形態で修飾又は接合される。本実施形態の他の詳しいものは、第６実施形態と同じであるので、ここで重複する説明は省略する。
【００６５】
上記各実施形態において、ｐの数値は４又は６であるが、本考案はこれらに限定されたものではないことを理解すべきである。当業者は、実際の需要に応じて、ｐの数値を柔軟に設計すべきである。
【００６６】
第３態樣
【００６７】
図１６は、本考案の第８実施形態による累進多焦点レンズを示す模式図である。本実施形態の累進多焦点レンズは、老眼と乱視の患者に適用してよい。累進多焦点レンズは、累進多焦点面と円環曲面を含み、少なくとも３つの高度数領域１１０ａ、１１０ｂ、少なくとも３つの低度数領域１２０ａ、１２０ｂ及び複数の漸進的変化領域１３０ａ、１３０ｂ、１３０ｃを含む。高度数領域１１０ａ、１１０ｂ、低度数領域１２０ａ、１２０ｂ及び漸進的変化領域１３０ａ、１３０ｂ、１３０ｃは、いずれも扇形であり、且つ高度数領域１１０ａ、１１０ｂ及び低度数領域１２０ａ、１２０ｂが累進多焦点レンズの円弧方向１０２に沿って交錯して設置される。高度数領域１１０ａ、１１０ｂ、低度数領域１２０ａ、１２０ｂ及び漸進的変化領域１３０ａ、１３０ｂ、１３０ｃは、累進多焦点面を構成する。各漸進的変化領域１３０ａ（又は１３０ｂ、１３０ｃ）は、円弧方向１０２のに沿って、両側のそれぞれが高度数領域１１０ａ（又は１１０ｂ）と低度数領域１２０ａ（又は１２０ｂ）に接続される。本実施形態の累進多焦点レンズは、同期視覚レンズに属し、即ち高度数領域１１０ａ、１１０ｂ、低度数領域１２０ａ、１２０ｂ及び漸進的変化領域１３０ａ、１３０ｂ、１３０ｃを透過して、異なる焦点距離の画像を同期に網膜に投射し、その後、視覚システム又は脳により鮮明な画像を選択し、ぼやけた画像を排除して、ズーム効果を生成する。上記累進多焦点レンズは、コンタクトレンズ又は眼内レンズであってよいが、本考案はこれらに限定されたものではない。
【００６８】
一方、円環曲面は、２つの直交する軸１６０と１７０を有し、この２つの軸１６０と１７０の曲率は互いに異なる。軸１６０が屈折異常の矯正に用いられてよく、軸１７０が乱視の矯正に用いられてよい。
【００６９】
上記累進多焦点レンズは、累進多焦点面と円環曲面の高さの変化に従って扇形の高度数領域１１０ａ、１１０ｂ、低度数領域１２０ａ、１２０ｂ及び２つの間に介在している漸進的変化領域１３０ａ、１３０ｂ、１３０ｃを定義する。漸進的変化領域１３０ａ（又は１３０ｂ、１３０ｃ）、隣接する高度数領域１１０ａ（又は１１０ｂ）及び低度数領域１２０ａ（又は１２０ｂ）の間にいかなる境界もなくてよい。
【００７０】
１つ又は複数の実施形態において、図１６の累進多焦点レンズがＡ−Ａ線分に沿う断面図は、図１の累進多焦点レンズがＡ−Ａ線分に沿う断面図と同じであってよい。換言すれば、図１６の累進多焦点レンズがＡ−Ａ線分に沿う断面図は、図２Ａ又は図２Ｂで表されてよい。図２Ａを例として、本実施形態の累進多焦点レンズは、２つの対向する主表面１０４と１０６を有する。累進多焦点レンズがコンタクトレンズである場合、主表面１０６は、角膜と接触する面であってよい。累進多焦点レンズは、図２Ａに示すように、凹レンズであってよく、図２Ｂに示すように、凸レンズであってもよい。累進多焦点レンズの度数は、主表面１０４と１０６の曲率半径及び累進多焦点レンズの材質と厚さで共に決定される。
【００７１】
１つ又は複数の実施形態において、累進多焦点面と円環曲面は、複合曲面に合成し、累進多焦点レンズの１つの主表面に位置し、且つもう１つの面が球面又は非球面である。言い換えれば、複合曲面は、累進多焦点面と円環曲面を重ね合わせてなる。例を挙げて、複合曲面が主表面１０４に位置してよく、主表面１０６が球面又は非球面であってよく、或いは、複合曲面が主表面１０６に位置してよく、主表面１０４が球面又は非球面であってよい。
【００７２】
次に表１０を参照すると、表１０は、図１６の累進多焦点レンズの２つの実施例による度数値であり、ただし、度数単位がＤである。ａ組の度数値が近視老眼と乱視の矯正に用いられてよく、ｂ組の度数値が遠視老眼及び乱視の矯正に用いられてよい。１つ又は複数の実施例において、Δｄ１＝Δｄ２＝+０.１Ｄであるが、本考案はこれらに限定されたものではない。
【００７３】
【表１０】
0003194002.tif 000020
【００７４】
次に図１７を参照すると、累進多焦点面と円環曲面は、複合曲面に合成し、累進多焦点レンズの１つの主表面に位置し、且つもう１つの面が球面又は非球面である。図１７は、複合曲面が図１６の点Ｏから円弧方向１０２に沿う高さ座標Ｚの一実施例の曲線図である。図１７に示すように、高さ座標Ｚは、角度座標θの増加に沿って起伏を呈し、且つ異なる高さ座標Ｚが異なる領域に対応する。ただし、高度数領域１１０ａの中心がそれぞれ９０°と２７０°に位置し、低度数領域１２０ａの中心がそれぞれ０°と１８０°に位置し、高度数領域１１０ｂの中心がそれぞれ３０°、１５０°、２１０°及び３３０°に位置し、低度数領域１２０ｂの中心がそれぞれ６０°、１２０°、２４０°及び３００°に位置し、漸進的変化領域１３０ａの中心がそれぞれ７５°、１０５°、２５５°及び２８５°に位置し、漸進的変化領域１３０ｂの中心はそれぞれ４５°、１３５°、２２５°及び３１５°に位置し、漸進的変化領域１３０ｃの中心がそれぞれ１５°、１６５°、１９５°及び３４５°に位置する。
【００７５】
１つ又は複数の実施形態において、累進多焦点面と円環曲面は、それぞれ累進多焦点レンズの対向する２つの主表面に位置してもよい。例を挙げて、累進多焦点面が主表面１０４（例えば図２Ａと図２Ｂに示す）に位置してよく、円環曲面が主表面１０６（例えば図２Ａと図２Ｂに示す）に位置して、或いは、累進多焦点面が主表面１０６に位置してよく、円環曲面が主表面１０４に位置する。
【００７６】
次に図１８Ａ及び図１８Ｂを参照すると、累進多焦点面と円環曲面は、それぞれ累進多焦点レンズの対向する２つの主表面に位置する。図１８Ａは、図１６の累進多焦点面が点Ｏから円弧方向１０２に沿う高さ座標Ｚ３の一実施例の曲線図であり、ただし、点Ｏの半径座標ｒ＝４ｍｍである。図１８Ｂは、図１６の円環曲面が点Ｏ’から円弧方向１０２に沿う高さ座標Ｚ４の一実施例の曲線図であり、ただし、点Ｏ’の半径座標ｒ＝４ｍｍである。図１８Ａに示すように、高さ座標Ｚ３は、累進多焦点面の表面高さの変化に対応して、角度座標θの増加に沿って起伏を呈する。一方、高さ座標Ｚ４は、円環曲面の表面高さの変化に対応して、角度座標θの増加に沿って起伏を呈し、且つ異なる高さ座標Ｚ３が異なる高さ座標Ｚ４を合わせて異なる領域に対応する。
【００７７】
上記実施形態の累進多焦点レンズは、老眼と乱視患者に適用してよく、単一のレンズで、同時に老眼と乱視を矯正する目的を達成することができる。また、瞳孔の大きさが環境光線の明暗、コントラストの高低又は年齢の増長に従って変わるが、累進多焦点レンズは、瞳孔が拡大または縮小する際、高度数領域１１０ａ、１１０ｂ、低度数領域１２０ａ、１２０ｂ及び漸進的変化領域１３０ａ、１３０ｂ、１３０ｃの、瞳孔との重なり部分の面積がいずれも同じ比例で増加又は減少する。乱視の矯正について、球面レンズ領域と柱面レンズ領域の表現する視覚品質が一致を維持することができ、老眼の矯正について、近いものを見ることと遠いものを見ることの変換により、視覚品質を妥協又は犠牲することがない。
【００７８】
本考案の実施形態を前述の通りに開示したが、これは、本考案を限定するものではなく、当業者なら誰でも、本考案の精神と範囲から逸脱しない限り、多様の変更や修正を加えることができ、したがって、本考案の保護範囲は、実用新案登録請求の範囲で指定した内容を基準とする
【符号の説明】
【００７９】
１０２：円弧方向
１０４、１０６：主表面
１０７：光軸
１０８ａ、１０８ｂ：基準面
１１０、１１０ａ、１１０ｂ：高度数領域
１２０、１２０ａ、１２０ｂ：低度数領域
１３０、１３０ａ、１３０ｂ、１３０ｃ：漸進的変化領域
１４０：円形領域
１６０、１７０：軸
Ａ−Ａ、Ｂ−Ｂ：断面線
Ｏ、Ｏ’、Ｃ：点
【図１】
0003194002.tif 000025
【図２Ａ】
0003194002.tif 000026
【図２Ｂ】
0003194002.tif 000027
【図３】
0003194002.tif 000028
【図４】
0003194002.tif 000029
【図５】
0003194002.tif 000030
【図６】
0003194002.tif 000031
【図７】
0003194002.tif 000032
【図８】
0003194002.tif 000033
【図９】
0003194002.tif 000034
【図１０】
0003194002.tif 000035
【図１１】
0003194002.tif 000036
【図１２】
0003194002.tif 000037
【図１３】
0003194002.tif 000038
【図１４】
0003194002.tif 000039
【図１５】
0003194002.tif 000040
【図１６】
0003194002.tif 000041
【図１７】
0003194002.tif 000042
【図１８Ａ】
0003194002.tif 000043
【図１８Ｂ】
0003194002.tif 000044